【事件の表示】
　平成１０年特許願第３１６１４６号「半導体集積回路装置及びその信号供給方法」拒絶査定に対する審判事件［平成１２年　５月２６日出願公開、特開２０００−１４８２８４］について、次のとおり審決する。
【結　論】
　本件審判の請求は、成り立たない。
【理　由】
１．手続きの経緯
　本願は、平成１０年１１月６日の出願であって、平成１３年３月３０日付で拒絶査定がなされ、これに対し、同年５月７日に拒絶査定に対する審判請求がなされるとともに、同年５月１７日付で明細書について手続補正がなされたものである。
　
２．平成１３年５月１７日付の手続補正についての補正却下の決定
［補正却下の決定の結論］
　　平成１３年５月１７日付の手続補正を却下する。
［理由］
（１）補正後の本願発明
　本件補正により、特許請求の範囲の請求項５は、
「供給される複数の入力信号を受け取って、対応する入力信号の立下り又は立上りのいずれかの変化を夫々検出する複数の信号検出回路を備え、各信号検出回路からの出力に基づいてクロック信号のモジュールへの取り込みを許可する半導体集積回路装置において、
　前記モジュールでの処理に最大何クロックを要するかの信号処理必要時間を予め設定し、前記モジュールで開始された信号処理の時間と前記信号処理必要時間とを比較し、双方の時間が一致したときに、前記モジュールへのクロック信号を無効にし、１つの前記モジュールで前記複数の入力信号を処理することを特徴とする半導体集積回路装置。」
と補正された。
　上記補正は、請求項５に記載した発明を特定するために必要な事項である「入力信号の変化」について「入力信号の立下り又は立上りのいずれかの変化」と限定し、同じく「半導体集積回路装置」について「１つの前記モジュールで前記複数の入力信号を処理する」との限定を付加するものであって、特許法第１７条の２第４項第２号の特許請求の範囲の減縮を目的とするものに該当する。
　そこで、本件補正後の前記請求項５に記載された発明（以下、「本願補正発明」という。）が特許出願の際独立して特許を受けることができるものであるか（特許法第１７条の２第５項において準用する同法第１２６条第４項の規定に適合するか）について以下に検討する。
　
（２）引用例
　原査定の拒絶の理由に引用された特開平８−５４９５４号公報（以下、引用例という。）には、図面とともに、以下の記載が認められる。
・「複数の回路要素から構成され、前記各回路要素のうちデータ処理が行われている回路要素を起動モードとし、データ処理が行われていない回路要素を休止モードとすることにより電力消費量を低減させるようにした省電力機能付き集積回路において、
　前記各回路要素は、
　その回路要素にデータが入力されたことを検知する入力検知手段と、
　この入力検知手段でデータの入力が検知されてから当該回路要素が処理を終了するのに必要な時間を計測したのち終了信号を出力する計時手段と、
　この計時手段からの終了信号によって当該回路要素へのクロック信号の供給モードを休止モードにするクロックコントロール手段とを備え、
　当該回路要素自身で起動モードと休止モードとを切り換える
　ことを特徴とする省電力機能付き集積回路。」（【請求項２】）
・「図１は、この発明の一実施例に係る省電力機能付き集積回路の一例を示すブロック図である。この回路は、ＤＳＰ（ディジタル・シグナル・プロセッサ）等に使用されるもので、ＩＣＵ１と、このＩＣＵ１によって制御される複数の回路要素、例えば乗算器（以下、ＭＰＹと呼ぶ）２、算術論理ユニット（以下、ＡＬＵと呼ぶ）３と、ＩＣＵ１の動作を規定するプログラムを格納したプログラムメモリ４とを１チップに集積してなるものである。
　ＭＰＹ２、ＡＬＵ３等の回路要素は、例えば図２に示すように構成されている。
　即ち、入力データは、レジスタ１１に一旦格納されたのち、その回路要素の動作を規定する主回路１２に入力され、ここで演算等の所定のデータ処理を施された後、レジスタ１３を介して外部に出力データとして出力される。入力データは入力検知回路１４にも供給されている。入力検知回路１４は、データ入力を検知すると、データ入力フラグＦＩを立てる。このデータ入力フラグＦＩは、タイマー１５のトリガ入力となる。タイマー１５は、データ入力フラグＦＩでトリガされると、動作フラグＦＡを立ち上げると共に、クロック信号ＣＫのカウントを開始し、主回路で処理を終了するのに必要な時間を計測する。計測終了後、タイマー１５は、動作フラグＦＡを立ち下げる。この動作フラグＦＡは、スイッチ回路１６の切り換え信号として供給されている。スイッチ回路１６は、動作フラグＦＡがアクティブのとき、クロック信号ＣＫを主回路１２に供給し、動作フラグＦＡが非アクティブのとき、クロック信号ＣＫを分周回路１７で分周した低速クロック信号ＣＫ′を主回路１２に供給する。
　これにより、前者の場合には主回路１２が通常のクロックで動作する起動モードとなり、後者の場合には主回路１２が低速クロックで動作する休止モードとなる。主回路１２は、起動モードの間に動作を済ませ、出力データを出力する。
　なお、休止モードは、上記のように低速クロックを供給するかわりに、クロック信号ＣＫの供給を断つことにより実現してもよい。
　このように、上記回路によれば、回路要素にデータが入力すると、回路要素が自ら起動モードとなり、自己の処理時間を計測し、処理時間経過後は、自ら休止モードとなるので、ＩＣＵ１は各回路要素を全く関知する必要がない。」（段落【００１１】〜【００１４】）
　
　引用例の記載において、「起動モード」は、主回路が通常のクロックで動作するモードであり、入力検知回路がデータ入力を検知するとデータ入力フラグを出力し、これをトリガーとしてタイマーが動作フラグＦＡを立ち上げて、スイッチ回路の切り換え信号として供給している。スイッチ回路は、動作フラグＦＡがアクティブのとき、クロック信号ＣＫを主回路１２に供給している。また、「休止モード」は、クロック信号ＣＫの供給を断つことにより実現してもよい旨の記載があり、その場合、スイッチ回路は、動作フラグＦＡが非アクティブのときにクロック信号ＣＫの供給を断つこととなることは明らかである。また、計時手段としてのタイマーによって行なわれる主回路で処理を終了するのに必要な時間の計測は、クロック信号をカウントすることにより行なわれている。そうすると引用例には、
「複数の回路要素から構成され、前記各回路要素のうちデータ処理が行われている回路要素にクロック信号を取り込み、データ処理が行われていない回路要素にはクロック信号の供給を絶つことにより、電力消費量を低減させるようにした省電力機能付き集積回路において、
　前記各回路要素は、
　その回路要素にデータが入力されたことを検知する入力検知手段と、
　入力検知手段からの出力に基づいてクロックが当該回路要素の主回路へ取り込まれ、この入力検知手段でデータの入力が検知されてから当該回路要素が処理を終了するのに必要な時間をクロック信号をカウントすることにより計測し、その計測終了後、終了信号を出力する計時手段と、
　この計時手段からの終了信号によって当該回路要素へのクロック信号の供給を絶つクロックコントロール手段とを備える
　ことを特徴とする省電力機能付き集積回路。」なる発明（以下「引用例発明」という。）が開示されていると認めることができる。
　
（３）対比
　本願補正発明と引用例発明とを対比する。引用例発明の「回路要素」、「入力検知手段」、「集積回路」は、本願補正発明の「モジュール」、「信号検出回路」、「半導体集積回路装置」にそれぞれ相当する。また、本願補正発明における「モジュールへのクロック信号を無効にする」とは、実施の形態の記載（例えば、段落【００３５】及び図５等）によれば、“０”を論理ブロック１２に供給することによりモジュールへのクロック信号の供給を停止することであると認められる。そうすると、両者は、
「供給される入力信号を受け取って、対応する入力信号を検出する信号検出回路を備え、信号検出回路からの出力に基づいてクロック信号のモジュールへの取り込みを許可する半導体集積回路装置において、
　モジュールでの信号処理に必要な時間が経過したらモジュールへのクロック信号の供給を停止すること
を特徴とする半導体集積回路装置。」
の点で一致し、以下の点で相違している。
［相違点１］本願補正発明は、モジュールに入力される入力信号が「複数」であるのに対し、引用例発明においては、この点の明記がない点。
［相違点２］本願補正発明は、入力信号の検出を入力信号の立下り又は立上りの何れかの変化を検出することにより行なっているのに対し、引用例発明においては、この点の明記がない点。
［相違点３］本願補正発明は、モジュールでの処理に最大何クロックを要するかの信号処理必要時間を予め設定し、前記モジュールで開始された信号処理の時間と前記信号処理必要時間とを比較し、双方の時間が一致したときに、モジュールへのクロック信号の供給を停止しているのに対し、引用例発明においては、入力が検知されてから当該回路要素（モジュール）が処理を終了するのに必要な時間をクロック信号をカウントすることにより計測し、その計測終了後、終了信号を出力する計時手段からの終了信号によって当該回路要素（モジュール）へのクロック信号の供給を停止している点。
　
（４）判断
［相違点１］について
　モジュールで処理すべき入力信号が複数であるモジュールは周知であり（例えば、引用例においても、モジュールに対応する回路要素として、乗算器や、算術論理ユニットが例示されており（段落【００１１】）、モジュールに入力される入力信号が複数であることを示唆している）、モジュールへの処理すべき入力信号が複数であるとした点は格別の事項とは認められない。
［相違点２］について
　一般に、デジタル信号を、その信号の立下り又は立上りの何れかの変化を検出することにより検出することは慣用の手段であり、入力信号の検出を、入力信号の立下り又は立上りの何れかの変化の検出により行なう点は格別の事項とは認められない。
［相違点３］について
　引用例発明において、入力が検知されてから当該回路要素（モジュール）が処理を終了するのに必要な時間をクロック信号をカウントすることにより計測するためには、予め、当該回路要素（モジュール）での処理に要するクロック数が設定されていなければ、当該必要な時間の計測も終了信号の出力もできないし、また、処理に要する最大クロック数より少ないクロック数を設定したのでは、処理が終了しないのにクロックの供給が停止してしまうという不都合が生じるのは明らかである。また、予め設定したクロック数をカウントするには、設定した値からダウンカウントしてカウント値が０となったときに終了とする手法と、０からアップカウントし、予め設定した値と一致したときに終了する手法のいずれも周知である。さらに、引用例発明においては、処理を終了するのに必要な時間の計測終了後、終了信号を出力するとしているが、引用例発明の目的等からみて、所要の時間の経過した後もクロックの供給を継続する必然性はないから、引用例発明の当該個所を当該所要の時間の計測が終了した時点で終了信号を出力してクロック信号の供給の停止すると解して、そのように設計することは当業者の容易に想到し得るところと認められる。したがって、相違点３における本願補正発明の構成に、格別の発明力を要する事項を見出すことはできない。
　
　したがって、本願補正発明は、引用例に記載された発明に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
　平成１３年５月１７日付の手続補正は上記のとおり却下されたので、本願の請求項５に係る発明（以下、同項記載の発明を「本願発明」という。）は、平成１１年１０月１日付け手続補正書及び平成１２年４月３日付手続補正書によって補正された明細書の特許請求の範囲の請求項５に記載された事項により特定される、以下のとおりのものである。
「供給される複数の入力信号を受け取って、対応する入力信号の変化を夫々検出する複数の信号検出回路を備え、各信号検出回路からの出力に基づいてクロック信号のモジュールへの取り込みを許可する半導体集積回路装置において、
　前記モジュールでの処理に最大何クロックを要するかの信号処理必要時間を予め設定し、前記モジュールで開始された信号処理の時間と前記信号処理必要時間とを比較し、双方の時間が一致したときに、前記モジュールへのクロック信号を無効にすることを特徴とする半導体集積回路装置。」
　
（１）引用例
　原査定の拒絶の理由に引用された引用例、および、その記載事項は、前記「２．（２）」に記載したとおりである。
　
（２）対比・判断
　本願発明は、前記２．で検討した本願補正発明から「入力信号の変化」について「立下り又は立上りのいずれかの」との限定を省き、「半導体集積回路装置」の限定事項である「１つの前記モジュールで前記複数の入力信号を処理する」との構成を省いたものである。
　そうすると、本願発明の構成要件を全て含み、さらに他の構成要件を付加したものに相当する本願補正発明が、前記「２．（４）」に記載したとおり、引用例に記載された発明に基づいて、当業者が容易に発明をすることができたものであるから、本願発明も、同様の理由により、引用例に記載された発明に基づいて、当業者が容易に発明をすることができたものである。
　なお、モジュールへのクロック信号の供給を複数の入力信号の全てが検出されたときに開始するか、複数の入力信号のいずれか一つが検出されたときに開始するかは、当該モジュールにおける入力信号に対する処理がどのようなものでありどのような手順で実行されるかに応じて、当業者が適宜選択して実行し得る事項と認められる。
　
（３）むすび
　以上のとおり、本願発明は、引用例に記載された発明に基づいて、当業者が容易に発明をすることができたものであるから、特許法第２９条第２項の規定により特許を受けることができない。
　よって、結論のとおり審決する。